(57)【要約】  本発明は、画像表示領域を含むディスプレイデバイスとともに使用するアンビエンス照明システムに関する。中央制御は、入力オーディオビデオストリーム（ＡＶＳ）を受信して、表示されるべき画像の周辺の色情報を決定する。複数の光源は、画像表示領域の周辺に関して予め固定された配列で配置され、複数のローカル制御ユニットは、前記複数の光源から選択された１又はそれ以上の光源に結合され、少なくとも１つの結合された光源をローカルで動作させる。中央制御ユニットは、決定された色情報をストリームとして各ローカル制御ユニットに送信し、各ローカル制御ユニットは、少なくとも１つの結合された光源を動作させるために、受信された色情報の一部を使用し、色情報の一部は、予め固定された配列内の少なくとも１つの結合された光源の位置に基づいて決定される。
2010528416.tif 000002
【特許請求の範囲】
【請求項１】
画像表示領域を含むディスプレイデバイスとともに使用するアンビエンス照明システムであって、
入力オーディオビデオストリーム（ＡＶＳ）を受信して、表示されるべき画像の周辺の色情報を決定する中央制御ユニットと、
前記画像表示領域の周辺に関して予め固定された配列で配置された複数の光源と、
ローカル制御ユニットそれぞれが前記複数の光源から選択された少なくとも１つの光源に結合され、少なくとも１つの結合された前記光源をローカルで、それぞれが動作させる複数のローカル制御ユニットとを有し、
前記中央制御ユニットは、決定された前記色情報をストリームとして各ローカル制御ユニットに送信し、各ローカル制御ユニットは、前記少なくとも１つの結合された光源を動作させるために、受信された前記色情報の一部を使用し、前記色情報の一部は、前記予め固定された配列内の前記少なくとも１つの結合された光源の位置に基づいて決定される、アンビエンス照明システム。
【請求項２】
前記複数のローカル制御ユニットのうち少なくとも１つは、光源に関連した動作パラメータに更に基づいて、前記少なくとも１つの結合された光源を動作させる、請求項１に記載のアンビエンス照明システム。
【請求項３】
前記中央制御ユニットは、発せられるべき色を、全てのローカル制御ユニットに対して自動化ベースで又はユーザの好みに調節する、請求項１に記載のアンビエンス照明システム。
【請求項４】
前記光源は、サブ光源のアレイを含み、予め決められたエリアは、前記サブ光源が関連付けられたエリアである、請求項１に記載のアンビエンス照明システム。
【請求項５】
前記サブ光源は、発光ダイオード（ＬＥＤ）である、請求項４に記載のアンビエンス照明システム。
【請求項６】
前記複数のローカル制御ユニットは、並列若しくは直列又はこれらの組み合わせで接続される、請求項１に記載のアンビエンス照明システム。
【請求項７】
請求項１に記載のアンビエンス照明システムを有する、ディスプレイデバイス。
【請求項８】
ディスプレイデバイス用のフレーム構造体であって、当該フレーム構造体の中に統合された請求項１に記載の照明システムを有する、フレーム構造体。
【請求項９】
当該フレーム構造体は、合成プレート又はガラスを更に有し、光源からの放射された光は、前記合成プレート又はガラス内に伝導される、請求項８に記載のフレーム構造体。
【請求項１０】
画像表示領域を含むディスプレイデバイスとともに使用されたときにアンビエンス照明システムを動作させる方法であって、
入力オーディオビデオストリーム（ＡＶＳ）を受信して、表示されるべき画像の周辺の色情報を決定するステップと、
前記画像表示領域の周辺に関して予め固定された配列で複数の光源を配置するステップと、
ローカル制御ユニットそれぞれが前記複数の光源から選択された少なくとも１つの光源に結合される複数のローカル制御ユニットに、決定された前記色情報をストリームとして送信するステップとを有し、
受信された前記色情報の一部が、前記少なくとも１つの結合された光源を動作させるために各ローカル制御ユニットにより使用され、前記色情報の一部が、前記予め固定された配列内の少なくとも１つの結合された前記光源の位置に基づいて決定される、方法。
【請求項１１】
プログラムがコンピュータ上で実行されるときに、請求項１０に記載の方法のステップを実行することを処理ユニットに指示するためのコンピュータプログラム。
【発明の詳細な説明】
【技術分野】
【０００１】
本発明は、画像表示領域を含むディスプレイデバイスとともに使用するアンビエンス（ambience）照明システム、及び、斯様なアンビエンス照明システムを動作させる方法に関する。
【背景技術】
【０００２】
国際公開第２００５／０６２６０８号パンフレットは、ディスプレイデバイスとともに使用する補助的なビジュアルディスプレイシステムを開示している。斯様なビジュアルディスプレイシステムは、現在、アンビライトシステム（ambilight system）とよく呼ばれる。斯様なアンビライトシステムは、典型的には、ディスプレイデバイスの縁部／上部に設けられる２又は４つの光源を含む。図１に示されるように、中央制御ユニット１１は、４つの光源１２〜１５に結合され、表示されるべき画像の入力オーディオ／ビデオ信号（ＡＶＳ；Audio/Video Signal）１０の周辺を解析することにより光源を動作させ、これらに基づいて、ＴＶの背後の壁に光を放射するか、又は、ビデオが提示されるのに適合するＴＶのフレームを介して光を放射する。その効果は、より大きな仮想スクリーン、及び、より夢中になれる視聴体験である。
【０００３】
それ故、従来のアンビエンス照明システムは、ＡＶＳを解析することに基づいて光を放射するために個々の光源に指示する中央制御ユニットを介して動作される。しかしながら、これは、中央制御ユニットが個々の光源に接続されなければならないので、光源の数が多いときに問題を生じさせ得る。例えば数百の光源への接続は、全ての光源に分配されるべき膨大な量のワイヤのため、中央ポイントから設けることはほとんど可能ではない。
【発明の概要】
【発明が解決しようとする課題】
【０００４】
本発明の目的は、光源の数が多いときに適応するアンビエンス照明システムを提供することにより、上述した欠点を克服することにある。
【課題を解決するための手段】
【０００５】
一態様によれば、本発明は、画像表示領域を含むディスプレイデバイスとともに使用するアンビエンス照明システムであって、入力オーディオビデオストリーム（ＡＶＳ）を受信して、表示されるべき画像の周辺の色情報を決定する中央制御ユニットと、前記画像表示領域の周辺に関して予め固定された配列で配置された複数の光源と、ローカル制御ユニットそれぞれが、前記複数の光源から選択された少なくとも１つの光源に結合され、少なくとも１つの結合された光源をローカルでそれぞれが動作させる複数のローカル制御ユニットとを有し、前記中央制御ユニットは、決定された前記色情報をストリームとして各ローカル制御ユニットに送信し、各ローカル制御ユニットは、前記少なくとも１つの結合された光源を動作させるために、受信された前記色情報の一部を使用し、前記色情報の一部は、前記予め固定された配列内の前記少なくとも１つの結合された光源の位置に基づいて決定される、アンビエンス照明システムに関する。
【０００６】
従って、動作が、中央制御ユニットとローカルで互いに独立して動作するローカル制御ユニットとに分割されるので、多数の光源を動作させることが可能となる。
【０００７】
一実施形態において、少なくとも１つの前記ローカル制御ユニットは、光源に関連した動作パラメータに更に基づいて、前記少なくとも１つの結合された光源を動作させる。
【０００８】
一実施形態において、中央制御ユニットは、全てのローカル制御ユニットに対して、発せられるべき色を、ユーザの好みに、又は、自動化ベースで調節する。一例として、色情報が、画像表示領域上の特定のエリアで表示されるべき色が赤であることを示す場合には、ユーザの好みは、赤色調の光を放射することだろう。これは、例えば、ディスプレイデバイス、例えばＬＣＤスクリーンが配置される壁に依存し得るか、又は、周囲の照明状態が、周辺の色及び発せられた色が壁の色に適合するように、特定の好みを作ることをユーザに促し得る。センサ技術は、自動化又は半自動化の手法で設定を行うことを可能にする。
【０００９】
一実施形態において、光源は、サブ光源（sub-light source）のアレイを含み、予め決められたエリアは、前記サブ光源が関連付けられたエリアである。このように、表示されるべき画像の非常に明確な拡張を行うことが可能となる。
【００１０】
一実施形態において、サブ光源は、発光ダイオード（ＬＥＤ）である。
【００１１】
一実施形態において、複数のローカル制御ユニットは、並列若しくは直列又はこれらの組み合わせで接続される。
【００１２】
他の態様によれば、本発明は、前記アンビエンス照明システムを有するディスプレイデバイスに関する。
【００１３】
更に他の態様によれば、本発明は、ディスプレイデバイス用のフレーム構造体であって、そのフレーム構造体の中に統合された前記照明システムを有するフレーム構造体に関する。
【００１４】
一実施形態において、フレーム構造体は、合成プレート又はガラスを更に有し、前記光源からの放射された光は、前記合成プレート又はガラス内に伝導される。
【００１５】
更に他の態様によれば、本発明は、画像表示領域を含むディスプレイデバイスとともに使用されたときにアンビエンス照明システムを動作させる方法であって、入力オーディオビデオストリーム（ＡＶＳ）を受信して、表示されるべき画像の周辺の色情報を決定するステップと、画像表示領域の周辺に関して予め固定された配列で複数の光源を配置するステップと、ローカル制御ユニットそれぞれが前記複数の光源から選択された少なくとも１つの光源に結合されるローカル制御ユニットに、決定された前記色情報をストリームとして送信するステップとを有し、受信された前記色情報の一部が、前記少なくとも１つの結合された光源を動作させるために各ローカル制御ユニットにより使用され、前記色情報の一部が、前記予め固定された配列内の少なくとも１つの結合された前記光源の位置に基づいて決定される、方法に関する。
【００１６】
更に他の態様によれば、本発明は、プログラムがコンピュータ上で実行されるときに、上述した方法のステップを実行することを処理ユニットに指示するためのコンピュータプログラムに関する。
【００１７】
本発明の態様は、いずれかの他の態様とそれぞれ組み合わせられてもよい。これら及び本発明の他の態様は、後述する実施形態から明らかになり、前記実施形態を参照して説明されるだろう。
【００１８】
本発明の実施形態は、図面を参照して、単なる例により示されるだろう。
【図面の簡単な説明】
【００１９】
【図１】従来のアンビエンス照明システムの機能を図示している。
【図２】画像表示領域を含むディスプレイデバイスとともに使用するための本発明によるアンビエンス照明システムの一実施形態を示している。
【図３】本発明によるアンビエンス照明システムの他の実施形態を示している。
【図４】光源の数が増加された、本発明を実行する他の例を示している。
【図５】図２〜４の中央制御ユニットの機能を図示するブロック図を示している。
【図６】ディスプレイに適合されたトライアングルと光源の色トライアングルとを示す色トライアングルを示している。
【図７】平均色値を決定する一手法を示している。
【図８】ローカル制御ユニットの機能を図示するブロック図を示している。
【図９】本発明による方法を示すフローチャートを示している。
【発明を実施するための形態】
【００２０】
図２は、画像表示領域１０８を含むディスプレイデバイス１０９とともに使用するための本発明によるアンビエンス照明システム１００の一実施形態を示し、前記システム１００は、中央制御ユニット（C_C_U）１０２，光源１１０〜１２１、及び、この実施形態においては並列に接続されるローカル制御ユニット（C_U_1-4）１０４〜１０７を有する。中央制御ユニット（C_C_U）１０２は、入力オーディオビデオストリーム（ＡＶＳ）１０１を受信して、画像表示領域１０８上に表示されるべき画像の周辺の色情報を決定する。ここで示されるように、色情報の決定は、アクティブ画像の境界に全て配置されるエリア１２２〜１３３で実行される。それ故、決定された色情報は、各エリア１２２〜１３３内の平均色を決定すること、又は、各エリア内の特定のポイント、例えば、各エリアの中心部分での色情報を決定することを有し得る。
【００２１】
決定された色情報は、マトリクスを使用してシステム設定に対して予め調節される。これは、好ましくは、全てが色の調節のためのマトリクスを必要とする全てのローカル制御ユニットにおいて行われる。つまり、バックライト及びＬＣＤ自身がタイプ又はサプライヤで変わり得るので、ローカルに調節された色及び白色ポイントは、定義毎に、ディスプレイ例えばＬＣＤのものとは異なる。
【００２２】
中央制御ユニットにおいて、初期の表示コーディネートであるが周囲の照明の修正又はユーザの好ましい設定と結合されてもよいユーザ要求に対して調節が行われるマトリクスがある。ローカルに調節された光源は、これが非常に望まれるときにより飽和した照明を生成するための余裕を持って、その原色でより飽和した色を生成する。
【００２３】
これらの決定された色情報は、並列ストリーム１０３として各ローカル制御ユニット１０４〜１０７に送信される。この特定の例において、色情報（例えば、各エリア内の平均色情報）は、各ローカル制御ユニット（C_U_1-4）１０４〜１０７に対してまとめて送信される。
【００２４】
ローカル制御ユニット（C_U_1-4）１０４〜１０７は、１又はそれ以上の光源に結合され、互いに独立して動作する。ここで示されるように、光源は、各光源が所与のエリア１２２〜１３３に関連付けられるように、ディスプレイの周囲に対して、予め固定された配列又は"鎖状（chain）"に配置される。これは、例えば、光源１１０がエリア１２３に関連付けられ、光源１１１がエリア１２４に関連付けられることを意味する。それ故、光源は、所与の座標位置に割り当てられ得る。これらの座標は、受信した色情報のどの部分が、結合された光源を動作させるために用いられるべきかを知るために、ローカル制御ユニット１０４〜１０７により実行される。実際には、これは、ローカル制御ユニット１０４〜１０７を独立して動作させることである。
【００２５】
この実施形態において示されるように、ローカル制御ユニット（C_U_1）１０４は、表示領域１０８の左側の２つの光源１２０，１２１に結合され、ローカル制御ユニット（C_U_2）１０５は、表示領域１０８の上の４つの光源１１０〜１１３に結合され、ローカル制御ユニット（C_U_3）１０６は、表示領域１０８の右側１１４，１１５の２つの光源１１９，１２０に結合され、ローカル制御ユニット（C_U_4）１０７は、表示領域１０８の下の４つの光源１１６〜１１９に結合される。従って、ローカル制御ユニット（C_U_1）１０４に対して関連する色情報は、エリア１３３及び１２２に対するものである。制御ユニット（C_U_1）１０４が、これら２つのエリアに関連付けられる光源、即ち光源１２０及び１２１に結合されるからである。同様に、ローカル制御ユニット（C_U_2）１０５に対して関連する色情報は、エリア１２３〜１２６に対するものである。制御ユニット（C_U_2）１０５が、これらのエリアに関連付けられた４つの光源１１０〜１１３に結合されるからである。同様に、制御ユニット（C_U_3-4）１０６，１０７に対して適用する。
【００２６】
それ故、各ローカル制御ユニット１０４〜１０７は、関連エリア１２２〜１３３に対する色情報ｉ１〜ｉ１２だけを用いる。これを行う一手法は、関連しない色情報を"除去（stripping off）"又はフィルタリング（filtering out）することによるものである。ローカル制御ユニット（C_U_2）１０５に対する一例としては、エリア１２３〜１２６での色情報だけが関連する。斯様な"除去"を行う一手法は、適切なアルゴリズムを用いることによるものである。斯様な"除去"の一例は、後に述べられるだろう。
【００２７】
従って、ローカル制御ユニット（C_U_1）１０４は、光源１２０及び１２１をそれぞれ動作させるために、エリア１３３及び１２２に対して決定された色情報を用いる。同じことが、次のローカル制御ユニット１０５〜１０７に対して当てはまる。例えば、ローカル制御ユニット（C_U_2）１０５は、光源１２３〜１２６をそれぞれ動作させるために、エリア１２３〜１２６に対して決定された色情報を用いる。このようにして、ローカル制御ユニットは、これらが並列ストリームを受信してその一部の情報を取り出すときにトリガされ、従って、これらが"鎖状"に配置される態様が、どの部分を実行するかを決定する。
【００２８】
一実施形態において、中央制御ユニット（C_C_U）１０２は、鎖状の各ローカル制御ユニット１０４〜１０７の位置、即ち、ローカル制御ユニットがどの光源に関連付けられるか、及び、各光源の位置を知る。それ故、中央制御ユニット（C_C_U）１０２は、色情報のどの部分を用いるかをローカル制御ユニット１０４〜１０７に指示するように適合され得る。従って、ローカル制御ユニット１０４〜１０７は、これらがストリーム１０３を受信して一部の情報（例えば、ローカル制御ユニット（C_C_1）１０４がエリア１３３，１２２等の色情報だけを用いる）を取り出すときにトリガされる。
【００２９】
一実施形態において、ローカル制御ユニット１０４〜１０７は、これらの"鎖状"における位置に基づいて、受信したストリーム１０３の特定の部分をフィルタリングするように予めプログラムされる。例えば、ローカル制御ユニット（C_U_1）１０４は、エリア１３３，１２２に対するものを除く全ての色情報を自動的にフィルタリングする。同様のことが、次のローカル制御ユニットに対して当てはまる。
【００３０】
図３は、図２のシステムの他の設定を示し、唯一の違いは、ローカル制御ユニット１０４〜１０７の接続である。前に述べられたように、ローカル制御ユニット１０４〜１０７は、図２において並列に接続されるが、図３に示されるように、これらは直列に接続される。従って、各ローカル制御ユニットは、必要な関連色情報を抽出するが、受信した色情報１０３を次のローカル制御ユニットに転送する。ここで示されたように、ローカル制御ユニット（C_U_1）１０４は、色情報を（C_U_2）１０５に転送し、（C_U_2）１０５が、これをローカル制御ユニット（C_U_3）１０６等に転送する。図３におけるアンビエンス照明システムの機能は、その他については、図２に開示されたものと同一である。
【００３１】
図４は、本発明を実行する他の例を示し、光源３０９〜３１０の数が１２から２４に増加され、ローカル制御ユニット３０１〜３０８の数が４から８に増加される。ここで示されるように、ローカル制御ユニットは、並列に接続されるが、勿論、直列に接続されることも可能である。図２及び３に基づいて前に述べられたものと同様の原理をここに適用する。
【００３２】
図５は、図２〜４における中央制御ユニット１０２の機能を図示するブロック図を示し、中央制御ユニット１０２は、マトリクスアルゴリズム４０１、ガンマアルゴリズム４０２、アクティブエリア４０３、第１列の平均アルゴリズム４０４ａ〜４０４ｅ、第２列の統合アルゴリズム４０５ａ〜４０５ｅ、及び、シリアライザ４０６を有する。マトリクス４０１は、入力ビデオをユーザ又はシステムの要求された設定に移す。ガンマアルゴリズムは、ビデオが常にガンマ補正されることから、ビデオを線形光領域（linear light domain）に移す。アクティブエリアインジケータは、現在どのエリアがビデオストリームに関連してアクティブであるかを示すために用いられる。平均アルゴリズムは、国際公開第２００５／０６２６０８号パンフレットに示され、これによって参照により組み込まれるピークアルゴリズムであってもよいが、ここでは、図７に示されるアルゴリズムであり、これは、ヒストグラムに基づいている。
【００３３】
中央制御ユニット１０２は、システム補正、一般関数、及び、非エリア有界関数を実行するように適合され得る。受信したＡＶＳ信号１０１から決定された色情報は、全ての光源の色マトリクスをＥＢＵ又は図６に示されたディスプレイカラートライアングルのいずれかに調節するマトリクスアルゴリズム４０１を使用してシステム及び／又はユーザ設定に予め調節される。ここで、ディスプレイに適合したトライアングルの一例は、６０１で示され、光源、例えばＬＥＤは、色トライアングル６０２で示される。個々の光源は、固定された色座標に対してローカルマトリクスで調節される。このマトリクスは、周囲の照明効果を補償するために必要とされてもよい。マトリクスは、制御されたアプリケーション及びシステムであってもよい。マトリクスアルゴリズムは、以下のように読み取り得る。
【数１】
2010528416.tif 000003
【００３４】
ガンマアルゴリズム４０２は、以下のガンマアルゴリズムにより線形光領域におけるビデオ信号を変換する。
【数２】
2010528416.tif 000004
【００３５】
アクティブエリアのブロックは、どのエリアがビデオストリームにおいてアクティブであるかを示す。これは、平均アルゴリズム４０４，４０５の中心的サポートである。
【００３６】
平均アルゴリズム４０４，４０５は、色毎の平均値を計算する。３つのアルゴリズムタイプがこのために用いられ得る。第１のアルゴリズムは、クラシカルアベレージ（classical average）が以下の式により決定される。
【数３】
2010528416.tif 000005
ここで、Inputは、単一色を表し、単一エリアに対して有効であり、nは、入力の総量を表す。
【００３７】
第２のアルゴリズムは、以下の式によりこの計算を行う。
【数４】
2010528416.tif 000006
Peak_currentは、単一色に対する実際の値であり、単一エリアに対して有効である。これに関するエリアの有効色が入力する度に、これが、実際の値よりも大きいかどうか比較される。これが当てはまるときには、この一部は、新たな実際の値になるように実際の値に加算される。これは、国際公開第２００５／０６２６０８号パンフレットにおいてより詳細に説明される。
【００３８】
ピーク値を決定するための第３の手法は、図７に示された重み付けされたヒストグラム７０４を使用する。各色及び各エリア１２２〜１３３（図２参照）に関して、ヒストグラムが決定される。ヒストグラムは、より強いピクセルに、暗いピクセルよりも高い重みを与えるために、非線形関数７０２で乗算される。色毎の最も高い出現回数は、ピーク値で示される。色及びチャンネル毎の各入力は、次のアルゴリズムを用いて、起こった順番に統合される。
【数５】
2010528416.tif 000007
【数６】
2010528416.tif 000008
【００３９】
Kは、係数を表す。この係数は、システムにより設定され、アンビライトがビデオに応答する態様を決定する。これは、遅い動作から速い動作であってもよい。
【００４０】
新たな入力＞現在の値の場合の係数は、新たな入力＜現在の値の場合の係数とは異なる。これらの係数は、全ての積分器に対して同一の積分であってもよいが、各積分器に対して異なってもよく、例えば、画像に関連したデータに結合される。
【００４１】
色及びエリア１２２〜１３３毎の統合された平均は、図５に示されたシリアライザ４０６を介して全てのローカル制御ユニット（例えば、図２の１０４〜１０７）に分配される。シリアライザに分配される態様は、システム設定可能である。設定項目は、右旋回又は左旋回の分配、赤、緑及び青の配列、並びに、左上、右上、左下又は右下のような開始コーナである。接続ポイントの総量を減らすために、データストリームは、アクティブ、クロック及びデータにシリアライズされる。各ローカル制御ユニットは、前に述べられたように、全体のストリームを収集し、正しく規定された区分を除去する。各レセプタは、残されたものをシフトアウトする。順序チェイン設定の順序は、どのデータが何のレセプタで受信するかを決定する。全てのローカルコントローラが図１のように接続されるときには、これらが行い、予めプログラムされた設定が、どの部分を除去するかを決定する。それぞれに制御された図３に示された構成においては、第１の入力された部分を除去し、残りを次のローカルコントローラに再送信する。このようにして、チェイン内の場所が位置を決定する。
【００４２】
図８は、例えば図２〜４に示されたローカル制御ユニット１０４〜１０７の機能を図示するブロック図を示している。一のローカル制御ユニットが受信する最小サイズ８００は、赤、緑及び青に対する単一の平均値である。ローカル制御ユニットは、赤、緑及び青の平均値８０２をX回除去してもよい。この構造に関して、各ローカル制御ユニットがローカル制御ユニットに対して必要とされるものを除去して残りをシフトアウトすることは、異なる内部レセプタの長さで中央ポイント１０２から複数のローカル制御ユニット１０４〜１０７に情報を提供することについて、多くのフレキシビリティ及びシンプリシティを可能にする。光源毎の色座標及び白色ポイントを適合することを可能にするために、ＲＧＢ光源毎の一のマトリクス８０３が必要とされる。マトリクスは、各ＲＧＢ光源に対して連続して用いられる。分離及びローカルのマトリクス８０３の利点は、これらが取り付けられる異なる場所で光源モジュールを調節する可能性である。この場合において、生成及び調節が代わりに縮小される。
【００４３】
ローカル制御ユニットのアルゴリズムは以下のとおりである。
【数７】
2010528416.tif 000009
【００４４】
物理的補正８０４は、温度に関連した輝度のドリフト補正及び経年補正を表す。
【００４５】
パルスコードモジュレータ８０５は、光源をその手元で駆動させる電流ソースを駆動させる。パルスコードは、一般的な用語であり、規則的なパルス幅変調器である。
【００４６】
図９は、画像表示領域を含むディスプレイデバイスとともに用いられたときにアンビエンス照明システムを動作させる本発明による方法を示すフローチャートを示している。
【００４７】
入力オーディオビデオストリーム（ＡＶＳ）が受信され（Ｓ１；９０１）、これらに基づいて、表示されるべき画像の周辺の色情報が決定される（Ｓ２；９０２）。
【００４８】
複数の光源が、画像表示領域の周辺に関して予め固定された配列に配置される（Ｓ３；９０３）。決定された色情報は、直列又は並列のストリームとしてローカル制御ユニットに送信される（Ｓ４；９０４）。各制御ユニットは、複数の光源から選択された少なくとも１つの光源に結合される。受信された色情報の一部は、少なくとも１つの結合された光源を動作させるために、各ローカル制御ユニットにより用いられる（Ｓ５；９０５）。受信された色情報の一部は、予め固定された配列内の少なくとも１つの結合された光源の位置に基づいて決定される。
【００４９】
開示された実施形態の或る特定の詳細は、明確さ及び本発明の完全な理解を提供するために、限定よりもむしろ説明の目的のために記載されている。しかしながら、本発明が
この開示の精神及び範囲から著しく逸脱することなく、ここに記載された詳細と正確に一致しない他の実施形態を実施し得ることが当業者により理解されるべきである。更に、この場合において、並びに、簡潔さ及び明確さの目的のために、良く知られた装置、回路、手順の詳細な説明は、不要な詳細及び起こり得る混乱を回避するために省略されている。
【００５０】
参照符号が特許請求の範囲に含まれているが、参照符号の包含は、明確さの理由のためだけであり、特許請求の範囲を限定するものとして考慮されるべきではない。
【図１】
2010528416.tif 000010
【図２】
2010528416.tif 000011
【図３】
2010528416.tif 000012
【図４】
2010528416.tif 000013
【図５】
2010528416.tif 000014
【図６】
2010528416.tif 000015
【図７】
2010528416.tif 000016
【図８】
2010528416.tif 000017
【図９】
2010528416.tif 000018
【国際調査報告】
2010528416.tif 000019
2010528416.tif 000020
2010528416.tif 000021